(57)【特許請求の範囲】
【請求項１】
合成樹脂製の第１の筒状部品と、該第１の筒状部品の内周に係合された第２の筒状部品とを有するレンズ鏡筒であって、
前記第１の筒状部品は、先端内周にフィルター取付ねじが形成されたネジ内周面と該ネジ内周面から連続する斜面を有し内周全周にわたって薄肉部分を形成する溝部と該溝部から連続し内周面外径が前記溝部の溝の径より小径で前記ネジ内周面のネジ山の径より大径の全周突起部とを有し、
前記第２の筒状部品は、前記第１の筒状部品の前記全周突起部の内径に係合し前記溝部に対向する個所は空隙が形成される外径を有し、該第２の筒状部品の先端に該溝部の前記斜面に対し間隙をもって対向する傾斜部を有することを特徴とするレンズ鏡筒。
【請求項２】
請求項１記載のレンズ鏡筒を備えたことを特徴とする携帯機器。
【発明の詳細な説明】
【０００１】
【発明の属する技術分野】
この発明は、特に一眼レフカメラやビデオカメラ等の衝撃の緩和を施こしたレンズ鏡筒および携帯機器に関するものである。
【０００２】
【従来の技術】
従来より携帯機器は、持ち運ぶ際に誤ってぶつけたりして衝撃が加わることが多かった。その為、特にレンズ鏡筒本体の重量が大きい場合は、かかる衝撃の影響により光学性能が悪化する危険があった。そこで、衝撃の影響を緩和するために、衝撃に加わる場所の強度を増すことが要求され、先端部に金属を使用したレンズ鏡筒が多かった。
【０００３】
また、かかる衝撃を緩和するためにレンズ鏡筒先端にダンパーを配設し、所定量押されたときに当接する当接部を別に設け、衝撃のかかる場所を変えてレンズ鏡筒の光学性能悪化を防止するレンズ鏡筒が、例えば特開平７−４３５８２号公報に開示されている。
【０００４】
【発明が解決しようとする課題】
しかしながら、上記従来例において、強度を増すために金属を使用しているレンズ鏡筒においては、衝撃が直接他の場所に伝達してしまい、衝撃のかかった場所とは違う場所に衝撃の影響を与える。また、強度を増すためには、部品を大きくしなければならない。その為、レンズ鏡筒をコンパクトにすることができず、また、重量も更に重くなってしまうという課題があった。
【０００５】
また、かかる衝撃を緩和するためにレンズ鏡筒先端にダンパーを配設し、所定量押されたときに当接する当接部を別に設けたレンズ鏡筒においては、部品点数が多くなるという課題があった。また、ダンパーが所定量押された後に当接する当接部が固定部でない場合は、この構成を採ることができないという課題もあった。
【０００６】
この発明は上記のような従来の課題を解消するためになされたもので、部品点数、重量を増すことなく、レンズ鏡筒先端方向からの衝撃を他に波及することなく緩和することのできるレンズ鏡筒を得ることを目的とする。
【０００７】
【課題を解決するための手段】
請求項１の発明のレンズ鏡筒は、合成樹脂製の第１の筒状部品と、該第１の筒状部品の内周に係合された第２の筒状部品とを有するレンズ鏡筒であって、
前記第１の筒状部品は、先端内周にフィルター取付ねじが形成されたネジ内周面と該ネジ内周面から連続する斜面を有し内周全周にわたって薄肉部分を形成する溝部と該溝部から連続し内周面外径が前記溝部の溝の径より小径で前記ネジ内周面のネジ山の径より大径の全周突起部とを有し、
前記第２の筒状部品は、前記第１の筒状部品の前記全周突起部の内径に係合し前記溝部に対向する個所は空隙が形成される外径を有し、該第２の筒状部品の先端に該溝部の前記斜面に対し間隙をもって対向する傾斜部を有することを特徴としている。
【０００８】
請求項２の発明の携帯機器は、請求項１記載のレンズ鏡筒を備えたことを特徴としている。
【００１８】
【発明の実施の形態】
以下、この発明の実施の形態について説明する。
【００１９】
実施の形態１．
図１はこの発明の実施の形態１によるレンズ鏡筒の縦断面図であり、一眼レフカメラに取付け可能な単焦点レンズである。なお、便宜上、中心線より上側は無限位置、中心線より下側は至近位置のレンズ鏡筒の状態を表している。
【００２０】
図において、Ｌ１〜Ｌ３はそれぞれレンズ群を表しており、１群、３群のレンズＬ１、Ｌ３は焦点位置によらず固定されている。２群のレンズＬ２は光軸方向に移動するフォーカシングレンズ群である。
【００２１】
アクチュエーター５にはフォーカスキー６が接続されており、このフォーカスキー６はＡＦ／ＭＦ切り換えスイッチ７がＡＦのときはアクチュエーター５の駆動力によって、ＭＦのときはフォーカスリング４の駆動力によって回転するように構成されている。このアクチュエーター５はフレキシブル回路基板９によって電気的に実装基板１０と接続されている。この実装基板１０にはレンズ駆動のためのＩＣ等が実装されている。なお、アクチュエーター５は例えば特開平２−２５３２１４号公報によって詳細な構成が公知であるので説明を省略する。
【００２２】
１は合成樹脂製のフィルター枠であり、光軸垂直方向よりビス２０によって合成樹脂製の外装環２の先端部に固定されている。この外装環２はビス２２で案内筒３の先端部に固定されている。８は後部外装環であり、固定筒１４とマウント１１の間で固定され、この後部外装環８の外周面の一部にＡＦ／ＭＦ切り換えスイッチ７が設けられている。上記マウント１１は一眼レフカメラ（図示せず）に接続されるバヨネット構造である。
【００２３】
１２は内側カバーであり、レンズ鏡筒内へのゴミの侵入と内面反射を避ける役割を有している。１３は接点ブロックであり、カメラ側マイコン等との間で電気信号伝達を行なう。１４はマウント１１と案内筒３を接続する固定筒であり、内側には３群のレンズ群Ｌ３を保持している。１５は２群のフォーカシングレンズＬ２を保持した鏡筒であり、外周にフォーカスコロ１９とコロ２１が固定結合されており、フォーカスコロ１９、コロ２１は案内筒３に設けられたカム３ａ，３ｂと嵌合摺動する。
【００２４】
１６は電磁絞りユニットであり、フレキシブル回路基板９によって実装基板１０と通信できるようになっている。１７は１群のレンズＬ１を保持した鏡筒であり、案内筒３に固定されている。２３はレンズ押さえ環であり、１群のレンズＬ１を鏡筒１７に固定している。１８は外装環２の外側に嵌合した化粧環である。図２は図１のレンズ鏡筒の先端部の要部拡大図、図３は外装環２の展開図である。図２から明らかなように、フィルター枠１は先端内周側にフィルター取付用のネジ１ｄが切ってあり、その後側に先端側が深く、後側にかけて浅い溝１ａが斜面で設けられている（図２からも明らかなように、フィルター枠１（第１の筒状部品）には、先端内周にフィルター取付用のネジ１ｄが形成されたネジ内周面と、ネジ内周面から連続する斜面を有し内周全周にわたって薄肉部分を形成する溝１ａと、を有している）。また、その溝１ａの後側には、内側に入り込んでいる押え環（第２の筒状部品）２３と平行に伸びた突起部１ｂが全周にわたり設けられている（図２からも明らかなように、フィルター枠１は、溝１ａから連続し内周面外径が溝１ａの溝底の径より小径でネジ内周面のネジ山の径より大径の環状の全周にわたる突起部１ｂを有している）。
【００２５】
上記外装環２は先端側端面（フィルター枠１側）に全周にわたって６個の凸部２ａが設けられ、この凸部２ａの後側には凸部と同数の円周方向に長い穴２ｂが図３に示すように設けられている。この両者の位相は凸部２ａと穴２ｂの中心が同位相になるように形成されている。
【００２６】
一方、フィルター枠１と外装環２はスラスト方向に間隔Ａ離れて当接する第２の当接部１ｃ，２ｃが設けられている。この間隔Ａは前記穴２ｂのスラスト間隔Ｂと
間隔Ａ  ＜  間隔Ｂ
の関係がある。
【００２７】
これら、フィルター枠１と外装環２の端面の外側には穴２ｂを隠す為の化粧環１８が設けられている。２ｇはフィルター枠１を外装環２にビス２０で固定するためのビス穴、２ｈは外装環２を案内筒３にビス２２で固定するためのビスである。また、２ｉは案内筒先端が嵌合するリブを表している。
【００２８】
上記の構成の実施の形態において、レンズ鏡筒前方からフィルター枠１に衝撃が加わったとき、光軸方向の衝撃は、フィルター枠１から外装環２に加わる。このときフィルター枠１に接しているのは外装環２の凸部２ａの先端のみであるため、凸部２ａの後ろ側の穴２ｂが撓むと同時に、凸部以外の端面２ｄ部も撓む。従って、この２つの撓みによって衝撃を緩和させることができる。しかしながら衝撃が大きく穴２ｂの壁２ｅ，２ｆ同志が当接するほど撓むと、穴２ｂの両端に生じるひずみが大きく、外装環２が破損する危険があるため間隔Ａ撓んだときに、フィルター枠１の当接部１ｃと外装環２の当接部２ｃが当接し、破損を防止する。
【００２９】
レンズ鏡筒先端に斜めから衝撃がかかった場合は、フィルター枠１の先端部が溝１ａで撓み、溝１ａの斜面全面と突起部１ｂで内側の押さえ環２３に面で当たり衝撃を緩和することができるとともに、押さえ環２３にかかる衝撃が一点に集中することがないため、１群のレンズＬ１を破損することはない（図２から明らかなように、押さえ環２３は、フィルター枠１の環状の全周にわたる突起部１ｄの内径に係合し、溝１ａに対向する個所は空隙が形成される外径を有している。また、押さえ環２３の先端には、溝１ａの斜面に対して間隙をもって対向する傾斜部が形成されている。したがって、レンズ鏡筒先端に斜めから衝撃がかかった場合は、フィルター枠１の先端部が薄肉部分である溝１ａの部分で撓み、押さえ環２３が係合されている環状の突起部１ｂの溝１ａ側の端部を支点にして撓み、溝１ａの浅い溝部分が押さえ環２３の外径に接触し、溝１ａの斜面が押さえ環２３の先端の傾斜部に接触する。このように溝１ａの浅い部分が押さえ環２３の外径に面で接触し、また溝１ａの斜面が押さえ環２３の傾斜部に面で接触することにより、つまりは面であたることにより、衝撃を緩和することができる）。
【００３０】
また更に大きい衝撃がかかった場合は溝１ａが設けられていることにより、応力が溝１ａの近傍に集中し、フィルター枠１が破損して衝撃を吸収することができる。破損したフィルター枠１は、容易に交換可能であり、また破損していても応急的に撮影を継続することは可能であり、撮影できなくなることはない。
【００３１】
なお、上記実施の形態は、一眼レフカメラのレンズ鏡筒に用いたものであるが、他の光学機器あるいは、電気機器等の携帯機器のレンズ鏡筒についても適用できることは言うまでもない。また、外装環に設けられている突起２ａの数、または穴２ｂの数は、本実施形態で用いた数に限定されるものではない。以上説明したように、上記の実施形態では、レンズ鏡筒の先端近傍に装着される合成樹脂製の筒状構成部品に円周方向に長い穴を該円周方向に複数個ほぼ全周にわたって設けて構成したので、レンズ鏡筒先端方向からの衝撃を前記穴が撓むことにより部品点数、重量を増すことなく、緩和できる効果がある。また、上記の実施形態では、円周方向に長い穴を設けた構成部品の外周に該穴を覆う構成部品を備えて構成したので、穴に異物が入り込むのを防止するとともに外観体裁がよい効果がある。さらに、上記の実施形態では、レンズ鏡筒の先端近傍に装着される筒状の２つの構成部品のうち、少なくとも一方の構成部品は合成樹脂製とし該構成部品は他の構成部品との当接面に複数の凸部を有するように構成したので、凸部以外の端面は浮いた状態になっている為、レンズ鏡筒先端方向からの衝撃を、この部分が撓むことにより緩和できる効果がある。上記の実施形態では、レンズ鏡筒の先端近傍に装着される筒状の２つの構成部品のうち、少なくとも一方の構成部品は合成樹脂製とし該構成部品は、円周方向に長い穴を該円周方向に複数個有するとともに他の構成部品との当接面に前記穴と同数の凸部を有し、この各凸部は前記各穴の円周方向の中心位置と同位相に設けられて構成したので、レンズ鏡筒先端方向からの衝撃を受けたとき、効果的に前記穴と凸部以外の端面を撓ませたことができ、衝撃を緩和できる効果がある。上記の実施形態では、レンズ鏡筒の先端近傍に装着される筒状の２つの構成部品のうち、少なくとも一方の構成部品は合成樹脂製とし該構成部品は円周方向に長い穴を円周方向に複数個有するとともに他の構成部品と当接する第１当接面は前記穴と同数の凸部を該穴の円周方向の中心位置と同位相に設け、前記穴のスラスト長よりも短い間隔だけ離れた位置に第２当接面を有するように構成したので、レンズ鏡筒先端方向からの衝撃を受けた際に、前記穴の光軸垂直方向の壁同志が当接するほど撓んだときに起こる前記穴の両端に生じるを歪みを少なくすることができ、また、これによる破損を防止できる効果がある。また上記の実施形態では、レンズ鏡筒の先端部にフィルター取付ねじを構成している合成樹脂製の第１の筒状部品を有し、この第１の筒状部品の内側に第２の構成部品が入り込むように構成し、前記第１の筒状部品の内周に斜面で構成された溝を全周にわたって設けるように構成したので、レンズ鏡筒先端部に斜めから衝撃を受けた際に、前記第１の筒状部品が、内周に設けられた斜面で構成された溝だけ撓み衝撃を吸収することができる効果がある。上記の実施形態では、前記第１の部品に構成された溝は先端側が深く後側にかけて浅くなっているように構成したので、前記第１の筒状部品を効果的に前記第２の構成部品に面で当接させることができ、衝撃を吸収することができる効果がある。上記の実施形態では、レンズ鏡筒先端部にフィルター取付ねじを構成している合成樹脂製の第１の筒状部品を有し、この第１の筒状部品の内側に第２の構成部品が入り込むように構成し、前記第１の筒状部品の内周に斜面で構成された溝を全周にわたって設け、この溝の後側に第２の構成部品と平行に伸びた突起部を設けたように構成したので、レンズ鏡筒先端部に斜めから衝撃を受けた際に、前記第１の筒状部品が内周に設けられた斜面で構成された溝だけ撓み衝撃を吸収し、その後、突起部と共に第２の構成部品に面で当接して一点に衝撃を集中させないため、レンズ鏡筒の破損を防止することができる。また、更に強い衝撃の場合は第１の筒状部品自体が溝により破損し、衝撃を吸収し、他に影響を及ぼさない効果がある。また、上記の実施形態では、上記の特徴を有するレンズ鏡筒を備えた構成としたので、衝撃を受けたときの破損が少ない携帯機器が得られる効果がある。
【００３２】
【発明の効果】
本発明によれば、合成樹脂製の第１の筒状部品と、該第１の筒状部品の内周に係合された第２の筒状部品とを有するレンズ鏡筒であって、前記第１の筒状部品は、先端内周にフィルター取付ねじが形成されたネジ内周面と該ネジ内周面から連続する斜面を有し内周全周にわたって薄肉部分を形成する溝部と該溝部から連続し内周面外径が前記溝部の溝の径より小径で前記ネジ内周面のネジ山の径より大径の全周突起部とを有し、前記第２の筒状部品は、前記第１の筒状部品の前記全周突起部の内径に係合し前記溝部に対向する個所は空隙が形成される外径を有し、該第２の筒状部品の先端に該溝部の前記斜面に対し間隙をもって対向する傾斜部を有する構成したので、レンズ鏡筒先端部に斜めから衝撃を受けた際に、前記第１の筒状部品が、内周に設けられた斜面で構成された溝だけ撓み衝撃を吸収することができる効果がある。又、第１の部品に構成された溝は先端側が深く後側にかけて浅くなっているように構成したので、前記第１の筒状部品を効果的に前記第２の筒状部品に面で当接させることができ、衝撃を吸収することができる効果がある。
【図面の簡単な説明】
【図１】図１はこの発明の実施の形態を示すレンズ鏡筒の縦断面図。
【図２】図２は図１のレンズ鏡筒先端部の要部拡大図。
【図３】図３は図１のレンズ鏡筒における外装環の展開図。
【符号の説明】
１  フィルター枠（構成部品）
１ａ  溝
１ｂ  突起部
１ｃ  第２当接面
２  外装環（構成部品）
２ａ  凸部
２ｂ  穴
２ｄ  第１当接面
２ｃ  第２当接面
【図１】
0003647126.tif 000002
【図２】
0003647126.tif 000003
【図３】
0003647126.tif 000004